(57)【要約】【課題】個人認証したオペレータ（又はユーザ）のタッチパネルへの指のタッチ位置がタッチＵＩの有効領域から外れた時の誤動作を防止する。【解決手段】タッチＵＩ制御部は、実際のタッチ位置がタッチ有効領域から外れた位置であっても、ユーザの指の大きさを勘案したタッチ補正値をタッチ有効領域と合わせ込んだ値を示す仮想的な補正タッチＵＩ座標範囲内に収まっていると判定したときは（Ｓ９のｙｅｓ）、ユーザがタッチした位置が、タッチＵＩ４の有効領域内を実質的にタッチしていることを示すタッチ有効判定を行い、ユーザがタッチした位置にあるタッチＵＩ４により割り当てられた情報を入力する（Ｓ１０）。これにより、補正を行わないときはタッチＵＩ４の有効領域から外れていると判定される場合であっても、タッチしたのにタッチされないと判定されるといった指の大きさによる操作性の個人差を解消することができる。【選択図】図３
2010128508.tif 000002
【特許請求の範囲】
【請求項１】
所定位置をタッチした指の指紋と該指の大きさの情報とを取得する取得ステップと、
前記取得ステップにより取得した前記指紋と前記指の大きさとを記憶手段に登録する記憶ステップと、
前記取得ステップにより取得した前記指紋と前記記憶手段に登録されている指紋との照合を行う照合ステップと、
前記照合が一致したときに、前記登録されている指の大きさに応じたタッチ補正値を算出するタッチ補正値算出ステップと、
タッチ可能領域であるタッチＵＩを複数表示し、その複数のタッチＵＩのうち指でタッチされたタッチＵＩの位置座標を検出出力するタッチパネルデバイスで構成された表示部から、前記複数のタッチＵＩのうち指でタッチされたタッチＵＩの位置座標が入力される入力ステップと、
入力された前記タッチされたタッチＵＩの位置座標が、既知の前記タッチＵＩの有効領域と、算出された前記タッチ補正値とを合わせ込んだ仮想的な補正タッチＵＩ座標範囲内に含まれているか否かを判定する判定ステップと、
前記判定ステップにより前記タッチされたタッチＵＩの位置座標が、前記仮想的な補正タッチＵＩ座標範囲内に含まれていると判定された時のみ、タッチされた位置のタッチＵＩが示す情報を入力する情報入力ステップと
を含むことを特徴とする入力方法。
【請求項２】
所定位置をタッチした指の指紋と該指の大きさの情報とを取得する取得ステップと、
前記取得手段により取得した前記指紋と前記指の大きさとを記憶手段に登録する記憶ステップと、
前記取得ステップにより前記指紋と前記指の大きさの情報とを取得したときに、前記記憶手段に前記指紋と指の大きさの情報が登録済みであるか否かを判定する第１の判定ステップと、
前記第１の判定ステップが前記指紋と指の大きさの情報が登録済みでないと判定したときは、前記指紋と指の大きさの情報を前記記憶手段に記憶してその指の大きさの情報を読み込む記憶制御ステップと、
前記第１の判定ステップが前記指紋と指の大きさの情報が登録済みであると判定したときは、前記記憶手段から読み出した前記指紋と前記記憶手段に登録されている指紋との照合が一致するかどうかを判定する指紋照合ステップと、
前記指紋照合ステップにより照合一致結果が得られたときに、前記登録されている指の大きさに応じたタッチ補正値を算出するタッチ補正値算出ステップと、
タッチ可能領域であるタッチＵＩを複数表示し、その複数のタッチＵＩのうち指でタッチされたタッチＵＩの位置座標を検出出力するタッチパネルデバイスで構成された表示部から、前記複数のタッチＵＩのうち指でタッチされたタッチＵＩの位置座標が入力される入力ステップと、
入力された前記タッチされたタッチＵＩの位置座標が、既知の前記タッチＵＩの有効領域と算出された前記タッチ補正値とを合わせ込んだ仮想的な補正タッチＵＩ座標範囲内に含まれているか否かを判定する第２の判定ステップと、
前記第２の判定ステップにより前記タッチされたタッチＵＩの位置座標が、前記仮想的な補正タッチＵＩ座標範囲内に含まれていると判定された時のみ、タッチされた位置のタッチＵＩが示す情報を入力する情報入力ステップと
を含むことを特徴とする入力方法。
【請求項３】
所定位置をタッチした指の指紋と該指の大きさの情報とを取得する取得ステップと、
前記取得ステップにより前記指紋と前記指の大きさの情報とを取得したときに、記憶手段に前記指紋と指の大きさの情報が登録済みであるか否かを判定する第１の判定ステップと、
前記第１の判定ステップが前記指紋と指の大きさの情報が登録済みでないと判定したときは、取得した前記指の大きさに応じたタッチ補正値を算出するタッチ補正値算出ステップと、
前記タッチ補正値と、取得した前記指紋と指の大きさの情報とを前記記憶手段に記憶してその指の大きさの情報を読み出す記憶制御ステップと、
前記第１の判定ステップが前記指紋と指の大きさの情報が登録済みであると判定したときは、前記記憶手段から読み出した前記指紋と前記記憶手段に登録されている指紋との照合が一致するかどうかを判定する指紋照合ステップと、
前記指紋照合ステップにより照合一致結果が得られたとき、又は前記記憶手段に前記タッチ補正値と取得した前記指紋と指の大きさの情報とを記憶したときに、前記タッチ補正値を前記記憶手段から読み出す読み出しステップと、
タッチ可能領域であるタッチＵＩを複数表示し、その複数のタッチＵＩのうち指でタッチされたタッチＵＩの位置座標を検出出力するタッチパネルデバイスで構成された表示部から、前記複数のタッチＵＩのうち指でタッチされたタッチＵＩの位置座標が入力される入力ステップと、
入力された前記タッチされたタッチＵＩの位置座標が、既知の前記タッチＵＩの有効領域と、前記読み出しステップで読み出された前記タッチ補正値とを合わせ込んだ仮想的な補正タッチＵＩ座標範囲内に含まれているか否かを判定する第２の判定ステップと、
前記第２の判定ステップにより前記タッチされたタッチＵＩの位置座標が、前記仮想的な補正タッチＵＩ座標範囲内に含まれていると判定された時のみ、タッチされた位置のタッチＵＩが示す情報を入力する情報入力ステップと
を含むことを特徴とする入力方法。
【請求項４】
前記取得ステップは、前記表示部とは異なる位置に設けられている指紋認証デバイスから前記指紋と指の大きさの情報を取得することを特徴とする請求項１乃至３のうちいずれか一項記載の入力方法。
【請求項５】
入力された前記タッチされたタッチＵＩの位置座標が、前記仮想的な補正タッチＵＩ座標範囲内に含まれていないときは、タッチ無効判定を行う無効判定ステップを更に含むことを特徴とする請求項１乃至４のうちいずれか一項記載の入力方法。
【請求項６】
タッチ可能領域であるタッチＵＩを複数表示し、その複数のタッチＵＩのうち指でタッチされたタッチＵＩの位置座標を検出出力するタッチパネルデバイスで構成された表示部と、
所定位置をタッチした指の指紋と該指の大きさの情報とを取得する取得手段と、
前記取得手段により取得した前記指紋と前記指の大きさとを登録する記憶手段と、
前記取得手段により取得した前記指紋と前記記憶手段に登録されている指紋との照合が一致したときに、前記登録されている指の大きさに応じたタッチ補正値を算出するタッチ補正値算出手段と、
前記表示部からの前記複数のタッチＵＩのうち指でタッチされたタッチＵＩの位置座標が、既知の前記タッチＵＩの有効領域と前記タッチ補正値とを合わせ込んだ仮想的な補正タッチＵＩ座標範囲内に含まれているか否かを判定する判定手段と、
前記判定手段により前記タッチされたタッチＵＩの位置座標が、前記仮想的な補正タッチＵＩ座標範囲内に含まれていると判定された時のみ、タッチされた位置のタッチＵＩが示す情報を入力する情報入力手段と
を有することを特徴とする入力装置。
【請求項７】
タッチ可能領域であるタッチＵＩを複数表示し、その複数のタッチＵＩのうち指でタッチされたタッチＵＩの位置座標を検出出力するタッチパネルデバイスで構成された表示部と、
所定位置をタッチした指の指紋と該指の大きさの情報とを取得する取得手段と、
前記取得手段により取得した前記指紋と前記指の大きさとを登録する記憶手段と、
前記取得手段により前記指紋と前記指の大きさの情報とを取得したときに、前記記憶手段に前記指紋と指の大きさの情報が登録済みであるか否かを判定する第１の判定手段と、
前記第１の判定手段が前記指紋と指の大きさの情報が登録済みでないと判定したときは、前記指紋と指の大きさの情報を前記記憶手段に記憶してその指の大きさの情報を読み込む記憶制御手段と、
前記第１の判定手段が前記指紋と指の大きさの情報が登録済みであると判定したときは、前記記憶手段から読み出した前記指紋と前記記憶手段に登録されている指紋との照合が一致するかどうかを判定する指紋照合手段と、
前記指紋照合手段により照合一致結果が得られたときに、前記登録されている指の大きさに応じたタッチ補正値を算出するタッチ補正値算出手段と、
前記表示部からの前記複数のタッチＵＩのうち指でタッチされたタッチＵＩの位置座標が、既知の前記タッチＵＩの有効領域と前記タッチ補正値とを合わせ込んだ仮想的な補正タッチＵＩ座標範囲内に含まれているか否かを判定する第２の判定手段と、
前記第２の判定手段により前記タッチされたタッチＵＩの位置座標が、前記仮想的な補正タッチＵＩ座標範囲内に含まれていると判定された時のみ、タッチされた位置のタッチＵＩが示す情報を入力する情報入力手段と
を有することを特徴とする入力装置。
【請求項８】
タッチ可能領域であるタッチＵＩを複数表示し、その複数のタッチＵＩのうち指でタッチされたタッチＵＩの位置座標を検出出力するタッチパネルデバイスで構成された表示部と、
所定位置をタッチした指の指紋と該指の大きさの情報とを取得する取得手段と、
記憶手段と、
前記取得手段により前記指紋と前記指の大きさの情報とを取得したときに、前記記憶手段に前記指紋と指の大きさの情報が登録済みであるか否かを判定する第１の判定手段と、
前記第１の判定手段が前記指紋と指の大きさの情報が登録済みでないと判定したときは、取得した前記指の大きさに応じたタッチ補正値を算出するタッチ補正値算出手段と、
前記タッチ補正値と、取得した前記指紋と指の大きさの情報とを前記記憶手段に記憶してその指の大きさの情報を読み出す記憶制御手段と、
前記第１の判定手段が前記指紋と指の大きさの情報が登録済みであると判定したときは、前記記憶手段から読み出した前記指紋と前記記憶手段に登録されている指紋との照合が一致するかどうかを判定する指紋照合手段と、
前記指紋照合手段により照合一致結果が得られたとき、又は前記記憶手段に前記タッチ補正値と取得した前記指紋と指の大きさの情報とを記憶したときに、前記タッチ補正値を前記記憶手段から読み出し、前記表示部からの前記複数のタッチＵＩのうち指でタッチされたタッチＵＩの位置座標が入力されたときに、その入力されたタッチＵＩの位置座標が既知の前記タッチＵＩの有効領域と前記タッチ補正値とを合わせ込んだ仮想的な補正タッチＵＩ座標範囲内に含まれているか否かを判定する第２の判定手段と、
前記第２の判定手段により前記タッチされたタッチＵＩの位置座標が、前記仮想的な補正タッチＵＩ座標範囲内に含まれていると判定された時のみ、タッチされた位置のタッチＵＩが示す情報を入力する情報入力手段と
を有することを特徴とする入力装置。
【請求項９】
前記指紋取得手段は、前記表示部とは異なる位置に設けられている指紋認証デバイスであることを特徴とする請求項６乃至８のうちいずれか一項記載の入力装置。
【請求項１０】
入力された前記タッチされたタッチＵＩの位置座標が、前記仮想的な補正タッチＵＩ座標範囲内に含まれていないときは、タッチ無効判定を行う無効判定手段を更に有することを特徴とする請求項６乃至９のうちいずれか一項記載の入力装置。
【発明の詳細な説明】
【技術分野】
【０００１】
本発明は入力方法及び入力装置に係り、特にタッチパネルを用いた入力方法及び入力装置に関する。
【背景技術】
【０００２】
タッチパネルを用いた入力装置が広く普及している。タッチパネルは、一般には表示画面と、その表示画面に表示させた複数のアイコンの表示位置のうち、指で触れた表示位置を検出するセンサとからなる。このタッチパネルを用いた入力装置では、センサにより検出された表示位置に応じて、その表示位置に表示しているアイコンに応じた入力情報を処理部へ出力する。
【０００３】
このタッチパネルを用いた入力装置では、指で触れた表示位置を検出するセンサの検出範囲が予め定められている。また、このセンサの検出範囲は、入力装置が搭載される機器の大きさに応じて決定され、例えば当該機器が携帯電話機などのように小型な機器である場合は、かなり小さな範囲に制限される。
【０００４】
一方、タッチパネルの表示画面に触れるユーザの指の大きさは個人差があり様々である。このため、センサの検出範囲を超えるような指の大きなユーザがタッチパネルを使用する可能性もある。このような大きな指で表示画面に表示されたアイコン付近を触れた場合、希望するアイコンのセンサの検出範囲だけでなく、隣のアイコンのセンサの検出範囲に跨って指が触れることになる。この場合は、入力装置は、ユーザがどの表示位置のアイコンに触れたかが分らず、誤動作する。
【０００５】
そこで、この問題を解決するようにした入力装置が提案されている（例えば、特許文献１〜４参照）。特許文献１には、タッチパネルにタッチして指の大きさを入力すると、制御装置がその入力された指の大きさに応じた入力可能範囲を設定し、表示器上にその入力可能範囲を表示するようにした入力装置が開示されている。
【０００６】
また、特許文献２には、オペレータがタッチパネル上に指をタッチすると、測定手段により指のサイズを測定し、その測定された指サイズに応じた大きさの入力項目（アイコン）を表示手段に表示する入力装置が開示されている。特許文献３にも、特許文献２と同様に、指サイズを検知し、その検知した指サイズに応じた表示サイズでアイコンを表示する入力装置が開示されている。
【０００７】
更に、特許文献４には、タッチパネルに触れられた指の領域を検出し、その検出した領域と記憶部に予め記憶されている複数のアイコンサイズの情報とを比較し、その複数のアイコンサイズのうち検出した領域より最も近い面積のアイコンサイズの情報を選択して、そのアイコンサイズでアイコンを表示する入力装置が開示されている。
【０００８】
【特許文献１】特開平６−８３５３７号公報
【特許文献２】特開平５−４６３０８号公報
【特許文献３】特開２００７−４６６０号公報
【特許文献４】特開２００８−２１７７０４号公報
【発明の開示】
【発明が解決しようとする課題】
【０００９】
しかしながら、上記の特許文献１〜４記載の各入力装置は、オペレータ（又はユーザ）が入力した指の大きさの入力情報か、又はタッチパネルに触れた指の大きさを測定して得た測定結果に基づいて、アイコンの表示サイズや入力可能範囲を変更するようにしているだけであり、指の大きさが一つのアイコンの表示サイズ内であっても、たまたま指が一つのアイコンの表示有効領域から外れた場合は、タッチしていると判定することができない。また、特許文献１〜４記載の各入力装置では、いずれもオペレータ（又はユーザ）の個人認証は行っていない。
【００１０】
本発明は上記の点に鑑みなされたもので、個人認証したオペレータ（又はユーザ）のタッチパネルへの指のタッチ位置がタッチＵＩの有効領域から外れた時の誤動作を防止し得る入力方法及び入力装置を提供することを目的とする。
【課題を解決するための手段】
【００１１】
上記の目的を達成するため、本発明の入力方法は、所定位置をタッチした指の指紋と指の大きさの情報とを取得する取得ステップと、取得ステップにより取得した指紋と指の大きさとを記憶手段に登録する記憶ステップと、取得ステップにより取得した指紋と記憶手段に登録されている指紋との照合を行う照合ステップと、照合が一致したときに、登録されている指の大きさに応じたタッチ補正値を算出するタッチ補正値算出ステップと、タッチ可能領域であるタッチＵＩを複数表示し、その複数のタッチＵＩのうち指でタッチされたタッチＵＩの位置座標を検出出力するタッチパネルデバイスで構成された表示部から、複数のタッチＵＩのうち指でタッチされたタッチＵＩの位置座標が入力される入力ステップと、入力されたタッチされたタッチＵＩの位置座標が、既知のタッチＵＩの有効領域と、算出されたタッチ補正値とを合わせ込んだ仮想的な補正タッチＵＩ座標範囲内に含まれているか否かを判定する判定ステップと、判定ステップによりタッチされたタッチＵＩの位置座標が、仮想的な補正タッチＵＩ座標範囲内に含まれていると判定された時のみ、タッチされた位置のタッチＵＩが示す情報を入力する情報入力ステップとを含むことを特徴とする。
【００１２】
また、上記の目的を達成するため、本発明の入力装置は、タッチ可能領域であるタッチＵＩを複数表示し、その複数のタッチＵＩのうち指でタッチされたタッチＵＩの位置座標を検出出力するタッチパネルデバイスで構成された表示部と、所定位置をタッチした指の指紋と指の大きさの情報とを取得する取得手段と、取得手段により取得した指紋と指の大きさとを登録する記憶手段と、取得手段により取得した指紋と記憶手段に登録されている指紋との照合が一致したときに、登録されている指の大きさに応じたタッチ補正値を算出するタッチ補正値算出手段と、表示部からの複数のタッチＵＩのうち指でタッチされたタッチＵＩの位置座標が、既知のタッチＵＩの有効領域とタッチ補正値とを合わせ込んだ仮想的な補正タッチＵＩ座標範囲内に含まれているか否かを判定する判定手段と、判定手段によりタッチされたタッチＵＩの位置座標が、仮想的な補正タッチＵＩ座標範囲内に含まれていると判定された時のみ、タッチされた位置のタッチＵＩが示す情報を入力する情報入力手段とを有することを特徴とする。
【発明の効果】
【００１３】
本発明によれば、個人認証したオペレータ（又はユーザ）のタッチパネルへの指のタッチ位置がタッチＵＩの有効領域から外れた時の誤動作を防止することができる。
【発明を実施するための最良の形態】
【００１４】
次に、本発明の実施形態について図面を参照して詳細に説明する。
【００１５】
図１は、本発明になる入力装置の一実施形態の概略構成図、図２は、本発明になる入力装置の一実施形態のブロック図を示す。本実施形態の入力装置１は、図１に示すように、互いに異なる位置に指紋認証デバイス２と表示部３とが配置されている。表示部３はタッチ可能領域であるアイコンに相当するタッチユーザインタフェース（タッチＵＩ）４を複数表示する表示画面と、その複数のタッチＵＩ４のうち指でタッチされた表示画面上のタッチＵＩの位置座標を検出出力するセンサとからなるタッチパネルデバイスで構成されている。センサは、表示部３の表示画面上のタッチＵＩ４にオペレータ（又はユーザ）の指が触れると、そのタッチ位置を検出してタッチ位置座標を出力する公知の構成である。入力装置１は指が触れたタッチＵＩ４に応じた情報を入力する。
【００１６】
次に、図２のブロック図と共に本実施形態の入力装置１の構成について説明する。図２に示すように、本実施形態の入力装置１は、ハードウェア（ＨＷ）部１０と、ソフトウェア（ＳＷ）部２０とからなる。ＨＷ部１０は、図１に示した指紋認証デバイス２と、図１に示した表示部３を構成するタッチパネルデバイス１１と、メモリデバイス１２と、中央処理装置（ＣＰＵ）１３とから構成される。
【００１７】
また、ＳＷ部２０は、タッチパネル制御部２１と、指紋認証制御部２２と、タッチＵＩ制御部２３とから構成される。タッチパネル制御部２１は、タッチパネルデバイス１１により検出されたタッチＵＩ４の位置情報やデバイス状態情報が、ＣＰＵ１３を介して入力される。また、タッチパネル制御部２１は、メモリデバイス１２に格納されているタッチ補正情報も、ＣＰＵ１３を介して読み込む。
【００１８】
指紋認証制御部２２は、指紋認証デバイス２の制御により指紋の取得と指の大きさの測定を実施し、メモリデバイス１２に指紋と指の大きさを保存する。タッチＵＩ制御部２３は、表示部３上にタッチＵＩ４を表示させ、タッチパネル制御部２１から通知されてくるタッチ情報に基づいて、タッチＵＩ４を制御する。
【００１９】
次に、本発明の第１の実施形態の動作について、図３のフローチャートを併せ参照して説明する。まず、ユーザは、入力装置４の最初の使用時に指紋認証デバイス２を任意の指でタッチしてその指の指紋と指の大きさを取得する（ステップＳ１）。ステップＳ１では指紋認証制御部２２は、指紋認証デバイス２にタッチされた指の指紋を公知の方法で解析して取得すると共に、タッチされた指の大きさも測定して取得する。
【００２０】
続いて、指紋認証制御部２２は、既にメモリデバイス１２に指紋と測定した指の大きさの情報が登録されているか否かをチェックする（ステップＳ２）。登録されていなければ、ステップＳ１で取得した指紋と測定した指の大きさの情報をメモリデバイス１２に登録して指の大きさを読み込み（ステップＳ３）、その旨タッチパネル制御部２１に通知する。
【００２１】
一方、既に指紋と指の大きさとが登録されているときは、指紋認証制御部２２は、メモリデバイス１２に登録されている指紋と、ステップＳ１で取得した指紋との照合を行い、照合一致するかどうかを判定する（ステップＳ４）。照合が一致した場合、入力装置１に登録された正規のユーザが入力装置１を使用するものと判断し、メモリデバイス１２に登録されているそのユーザの指の大きさの情報を読み込み（ステップＳ５）、その旨タッチパネル制御部２１に通知する。なお、照合不一致の場合は処理を終了する。
【００２２】
タッチパネル制御部２１は、ステップＳ３又はＳ５の処理後に指の大きさの情報の通知を受けると、タッチ補正値を算出する（ステップＳ６）。このタッチ補正値は、例えば、タッチＵＩ４をユーザがタッチしたときに通知する座標値について、当該ユーザの指の大きさに合わせて最適な座標値に変換する値である。
【００２３】
その後、ユーザは表示部３に表示されている複数のタッチＵＩ４のうち、入力しようとする情報に応じたタッチＵＩ４をタッチする（ステップＳ７）。すると、表示部３を構成するタッチパネルデバイス１１は、ユーザがタッチしたタッチＵＩ４の位置の座標情報をタッチパネル制御部２１に通知する。タッチパネル制御部２１は、通知されたタッチ位置の座標情報と、ステップＳ６で指の大きさに応じて算出したタッチ補正値とをタッチＵＩ制御部２３に通知する（ステップＳ８）。
【００２４】
ここで、タッチＵＩ制御部２３は、タッチＵＩ４の大きさ（有効領域）を予め保持している。タッチＵＩ制御部２３は、実際にユーザがタッチした位置の座標情報が、タッチＵＩ４の有効領域と、タッチ補正値を基に算出したタッチ補正領域とを合わせ込んだ仮想的な補正タッチＵＩ座標範囲（タッチ判定有効領域）内に含まれているか否かを判定する（ステップＳ８）。ユーザがタッチした位置の座標がタッチＵＩの有効領域を外れていても、指が大きい場合はタッチＵＩ４の一部分を実質的にタッチしている。上記の仮想的な補正タッチＵＩ座標範囲は、このタッチＵＩ４の実質的なタッチ有効領域を示している。
【００２５】
そこで、タッチＵＩ制御部２３は、実際のタッチ位置がタッチ有効領域から外れた位置であっても、ユーザの指の大きさを勘案したタッチ補正値をタッチ有効領域と合わせ込んだ値を示す仮想的な補正タッチＵＩ座標範囲（タッチ判定有効領域）内に収まっていると判定したときは（ステップＳ９のｙｅｓ）、ユーザがタッチした位置が、タッチＵＩ４の有効領域内を実質的にタッチしていることを示すタッチ有効判定を行い、ユーザがタッチした位置にあるタッチＵＩ４により割り当てられた情報を入力する（ステップＳ１０）。
【００２６】
他方、タッチＵＩ制御部２３は、実際にユーザがタッチしたタッチＵＩ４の位置の座標情報が、仮想的な補正タッチＵＩ座標範囲（タッチ判定有効領域）内に含まれていないと判定したときは（ステップＳ９のｎｏ）、通知されたユーザがタッチした位置が、タッチＵＩ４の有効領域内をタッチしていないことを示すタッチ無効判定を行い（ステップＳ１１）、タッチＵＩ４をタッチした時の情報入力を行うことなく、処理を終了する。
【００２７】
このように、本実施形態によれば、指紋認証により認証されたユーザの指の大きさに応じた仮想的な補正タッチＵＩ座標範囲（タッチ判定有効領域）にユーザがタッチした位置の座標が収まっているときは、タッチ有効判定を行うようにしたため、補正を行わないときはタッチＵＩ４の有効領域から外れていると判定される場合であっても、タッチしたのにタッチされないと判定されるといった指の大きさによる操作性の個人差を解消することができる。
【００２８】
また、本実施形態によれば、仮想的な補正タッチＵＩ座標範囲（タッチ判定有効領域）は、一つのタッチＵＩ４の有効領域に基づいて算出した値であり、一つのタッチＵＩ４の有効領域と隣接する二つのタッチＵＩ４の間にあるタッチＵＩの存在しない領域との和の領域よりも小である。このため、タッチ位置の座標が隣接する２つのタッチＵＩ４の有効領域から共に外れていても、そのうちの一方のタッチＵＩ４の有効領域には極めて近い位置をタッチしているときには、仮想的な補正タッチＵＩ座標範囲（タッチ判定有効領域）は、一方のタッチＵＩ４の有効領域を含み、かつ、他方のタッチＵＩ４の有効領域を含まないために、タッチパネル制御部２１は一方のタッチＵＩ４のみをタッチしていると判定し、隣接する２つのタッチＵＩ４を同時にタッチしたという誤判定による誤動作を防止することができる。
【００２９】
次に、本発明の第２の実施形態の動作について、図４のフローチャートと共に説明する。同図中、図３と同一の処理ステップには同一符号を付し、その説明を省略する。本実施形態も第１の実施形態と同様に、図１及び図２に示した構成の入力装置の動作である点で共通するが、タッチ補正値の算出処理が異なる。
【００３０】
すなわち、本実施形態では、指紋と指の大きさを登録済みでないことを、指紋認証制御部２２がタッチパネル制御部２１に通知し、ステップＳ１で取得した指の大きさに基づいてタッチ補正値を算出させる（ステップＳ２１）。そして、指紋認証制御部２２は、取得した指紋と指の大きさとをタッチパネル制御部２１が算出したタッチ補正値と共にメモリデバイス１２に登録すると共に、タッチ補正値を読み込む（ステップＳ２２）。
【００３１】
一方、指紋認証制御部２２は、指紋と指の大きさとがメモリデバイスに登録済みであると判定し（ステップＳ２のｙｅｓ）、更に指紋照合が一致したときは（ステップＳ３のｙｅｓ）、ステップＳ２２でメモリデバイス１２に登録しておいたタッチ補正値をメモリデバイス１２から読み込む（ステップＳ２３）。以後は、ステップＳ７以降の第１の実施形態と同様の動作を行う。
【００３２】
このように、本実施形態では、最初のタッチＵＩ４へのタッチ時に算出したタッチ補正値をメモリデバイス１２に登録するようにしたため、２回目以降のタッチＵＩ４へのタッチ時のタッチ補正値の算出動作を不要にでき、処理速度を高速化できる。
【００３３】
なお、以上の実施形態では、指紋と指の大きさの両方が登録済みであるかどうかを判断しているが、どちらか一方だけについて登録済みであるかどうかを判断するようにしてもよい。
【図面の簡単な説明】
【００３４】
【図１】本発明の入力装置の一実施形態の概略構成図である。
【図２】本発明の入力装置の一実施形態のブロック図である。
【図３】本発明の入力方法の第１の実施形態の説明用のフローチャートである。
【図４】本発明の入力方法の第２の実施形態の説明用のフローチャートである。
【符号の説明】
【００３５】
１  入力装置
２  指紋認証デバイス
３  表示部
４  タッチＵＩ
１０  ハードウェア（ＨＷ）部
１１  タッチパネルデバイス
１２  メモリデバイス
１３  中央処理装置（ＣＰＵ）
２０  ソフトウェア（ＳＷ）部
２１  タッチパネル制御部
２２  指紋認証制御部
２３  タッチＵＩ制御部
【図１】
2010128508.tif 000003
【図２】
2010128508.tif 000004
【図３】
2010128508.tif 000005
【図４】
2010128508.tif 000006